(57)【要約】【課題】本発明は、受信側で画像の方向が分かるようにし、利用性を向上させたインターネットファクシミリ装置に関する。【解決手段】インターネットファクシミリ装置１は、スキャナで読み取った原稿の画像データをＴＩＦＦ作成／解析部１８でＴＩＦＦファイルとして作成して、当該作成したＴＩＦＦファイルを指定の宛先にメール送信するのに、スキャナでの原稿の読み取りを指示操作する際に、当該原稿のページ毎またはファイル毎に、操作部の向き指定ボタンで指定された画像方向を当該ＴＩＦＦファイルのタグに付加する。したがって、画像方向を確実に決定して、受信側で画像方向が分かるようにすることができ、受信側での画像の利用性を向上させることができる。【選択図】          図１
2005184091.tif 000002
【特許請求の範囲】
【請求項１】
読取手段で読み取った原稿の画像データをＴＩＦＦ作成手段でＴＩＦＦファイルとして作成して、当該作成したＴＩＦＦファイルを指定の宛先にメール送信するインターネットファクシミリ装置において、前記読取手段での原稿の読み取りを指示操作する際に、当該原稿のページ毎またはファイル毎に画像方向を指定する画像方向指定手段を備え、前記ＴＩＦＦ作成手段で前記読取手段の読み取った原稿の画像データをＴＩＦＦファイルとして作成する際に、当該画像方向指定手段で指定された画像方向を当該ＴＩＦＦファイルのタグに付加することを特徴とするインターネットファクシミリ装置。
【請求項２】
メール受信したＴＩＦＦファイルの画像を記録手段で用紙の両面に順次記録する両面印刷機能を備えたインターネットファクシミリ装置において、前記受信したＴＩＦＦファイルに画像の方向を示すタグが付与されていると、当該タグの示す画像方向を参照して、前記両面印刷の上下綴じ代または左右綴じ代を決定して、前記記録手段で両面印刷することを特徴とするインターネットファクシミリ装置。
【請求項３】
前記インターネットファクシミリ装置は、前記両面印刷において、前記ＴＩＦＦファイルに付与されているタグの示す画像の方向が、表面の画像と裏面の画像で異なる場合には、当該表面の画像と裏面の画像を異なる用紙に記録出力することを特徴とする請求項２記載のインターネットファクシミリ装置。
【請求項４】
メール受信したＴＩＦＦファイルの画像をウェブページの画像として公開して閲覧サービスを提供するウェブサーバ機能を備えたインターネットファクシミリ装置において、前記受信したＴＩＦＦファイルに画像の方向を示すタグが付与されていると、当該タグの示す画像方向を参照して、前記ウェブページの画像として上下を適切に合わせて公開することを特徴とするインターネットファクシミリ装置。
【発明の詳細な説明】
【技術分野】
【０００１】
本発明は、インターネットファクシミリ装置に関し、詳細には、受信側で画像の方向が分かるようにし、利用性を向上させたインターネットファクシミリ装置に関する。
【背景技術】
【０００２】
従来、ファクシミリ装置は、それ自体単独で動作するいわゆるスタンドアロンで使用されており、従来のファクシミリ通信手順（伝送手順）は、ＩＴＵ（International Telecommunication Union：国際電気通信連合）−Ｔ勧告Ｔ．３０に従って実行される。
【０００３】
そして、通常、ファクシミリ装置は、受信画像データを記録紙に記録出力するが、受信した画像データをその受信の上下方向をそのまま記録するのみであって、ファクシミリ通信のプロトコルでは、画像方向の定義がない（特許文献１等参照）。
【０００４】
【特許文献１】特開２００３−３７６９８号公報
【発明の開示】
【発明が解決しようとする課題】
【０００５】
しかしながら、上記従来のファクシミリ装置にあっては、プロトコル自体に画像方向の定義がないため、受信画像を両面印刷する場合、綴じ方向が合わず、適切にファイリングすることができないという問題があった。
【０００６】
そこで、請求項１記載の発明は、読取手段で読み取った原稿の画像データをＴＩＦＦ作成手段でＴＩＦＦファイルとして作成して、当該作成したＴＩＦＦファイルを指定の宛先にメール送信するのに、読取手段での原稿の読み取りを指示操作する際に、当該原稿のページ毎またはファイル毎に画像方向指定手段で指定された画像方向を当該ＴＩＦＦファイルのタグに付加することにより、画像方向を確実に決定して、受信側で画像方向が分かるようにし、受信側での画像の利用性を向上させるインターネットファクシミリ装置を提供することを目的としている。
【０００７】
請求項２記載の発明は、メール受信したＴＩＦＦファイルの画像を記録手段で用紙の両面に順次記録するに際して、受信したＴＩＦＦファイルに画像の方向を示すタグが付与されていると、当該タグの示す画像方向を参照して、両面印刷の上下綴じ代または左右綴じ代を決定して、記録手段で両面印刷することにより、両面印刷において綴じ方向を適切に設定し、画像の利用性を向上させるインターネットファクシミリ装置を提供することを目的としている。
【０００８】
請求項３記載の発明は、両面印刷において、ＴＩＦＦファイルに付与されているタグの示す画像の方向が、表面の画像と裏面の画像で異なる場合には、当該表面の画像と裏面の画像を異なる用紙に記録出力することにより、綴じ方向が適切に揃う画像のみを両面印刷し、綴じ方向の揃わない画像については片面印刷を行って、両面印刷の適性化を向上させて、画像の利用性を向上させるインターネットファクシミリ装置を提供することを目的としている。
【０００９】
請求項４記載の発明は、メール受信したＴＩＦＦファイルの画像をウェブページの画像として公開して閲覧サービスを提供するに際して、受信したＴＩＦＦファイルに画像の方向を示すタグが付与されていると、当該タグの示す画像方向を参照して、ウェブページの画像として上下を適切に合わせて公開することにより、クライアントに依存することなく、正しい方向で画像を閲覧できるようにし、画像の利用性の良好なインターネットファクシミリ装置を提供することを目的としている。
【課題を解決するための手段】
【００１０】
請求項１記載の発明のインターネットファクシミリ装置は、読取手段で読み取った原稿の画像データをＴＩＦＦ作成手段でＴＩＦＦファイルとして作成して、当該作成したＴＩＦＦファイルを指定の宛先にメール送信するインターネットファクシミリ装置において、前記読取手段での原稿の読み取りを指示操作する際に、当該原稿のページ毎またはファイル毎に画像方向を指定する画像方向指定手段を備え、前記ＴＩＦＦ作成手段で前記読取手段の読み取った原稿の画像データをＴＩＦＦファイルとして作成する際に、当該画像方向指定手段で指定された画像方向を当該ＴＩＦＦファイルのタグに付加することにより、上記目的を達成している。
【００１１】
請求項２記載の発明のインターネットファクシミリ装置は、メール受信したＴＩＦＦファイルの画像を記録手段で用紙の両面に順次記録する両面印刷機能を備えたインターネットファクシミリ装置において、前記受信したＴＩＦＦファイルに画像の方向を示すタグが付与されていると、当該タグの示す画像方向を参照して、前記両面印刷の上下綴じ代または左右綴じ代を決定して、前記記録手段で両面印刷することにより、上記目的を達成している。
【００１２】
この場合、例えば、請求項３に記載するように、前記インターネットファクシミリ装置は、前記両面印刷において、前記ＴＩＦＦファイルに付与されているタグの示す画像の方向が、表面の画像と裏面の画像で異なる場合には、当該表面の画像と裏面の画像を異なる用紙に記録出力するものであってもよい。
【００１３】
請求項４記載の発明のインターネットファクシミリ装置は、メール受信したＴＩＦＦファイルの画像をウェブページの画像として公開して閲覧サービスを提供するウェブサーバ機能を備えたインターネットファクシミリ装置において、前記受信したＴＩＦＦファイルに画像の方向を示すタグが付与されていると、当該タグの示す画像方向を参照して、前記ウェブページの画像として上下を適切に合わせて公開することにより、上記目的を達成している。
【発明の効果】
【００１４】
請求項１記載の発明のインターネットファクシミリ装置によれば、読取手段で読み取った原稿の画像データをＴＩＦＦ作成手段でＴＩＦＦファイルとして作成して、当該作成したＴＩＦＦファイルを指定の宛先にメール送信するのに、読取手段での原稿の読み取りを指示操作する際に、当該原稿のページ毎またはファイル毎に画像方向指定手段で指定された画像方向を当該ＴＩＦＦファイルのタグに付加するので、画像方向を確実に決定して、受信側で画像方向が分かるようにすることができ、受信側での画像の利用性を向上させることができる。
【００１５】
請求項２記載の発明のインターネットファクシミリ装置によれば、メール受信したＴＩＦＦファイルの画像を記録手段で用紙の両面に順次記録するに際して、受信したＴＩＦＦファイルに画像の方向を示すタグが付与されていると、当該タグの示す画像方向を参照して、両面印刷の上下綴じ代または左右綴じ代を決定して、記録手段で両面印刷するので、両面印刷において綴じ方向を適切に設定することができ、画像の利用性を向上させることができる。
【００１６】
請求項３記載の発明のインターネットファクシミリ装置によれば、両面印刷において、ＴＩＦＦファイルに付与されているタグの示す画像の方向が、表面の画像と裏面の画像で異なる場合には、当該表面の画像と裏面の画像を異なる用紙に記録出力するので、綴じ方向が適切に揃う画像のみを両面印刷することができ、綴じ方向の揃わない画像については片面印刷を行って、両面印刷の適性化を向上させて、画像の利用性を向上させることができる。
【００１７】
請求項４記載の発明のインターネットファクシミリ装置によれば、メール受信したＴＩＦＦファイルの画像をウェブページの画像として公開して閲覧サービスを提供するに際して、受信したＴＩＦＦファイルに画像の方向を示すタグが付与されていると、当該タグの示す画像方向を参照して、ウェブページの画像として上下を適切に合わせて公開するので、クライアントに依存することなく、正しい方向で画像を閲覧できるようにすることができ、画像の利用性を向上させることができる。
【発明を実施するための最良の形態】
【００１８】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１９】
図１は、本発明のインターネットファクシミリ装置の一実施例を適用したインターネットファクシミリ装置１のブロック構成図である。
【００２０】
図１において、インターネットファクシミリ装置１は、主制御部２、操作制御部３、表示制御部４、通信制御部５、圧縮伸長制御部６、プロッタ制御部７、スキャナ制御部８、宛先管理部９、ジョブ制御部１０、通信ファイル管理部１１、レポート制御部１２、ページメモリ管理部１３、内部スイッチ１４、ＲＯＭ（Read Only Memory）１５、ＲＡＭ（Random Access Memory）１６、ネットワーク制御部１７、ＴＩＦＦ作成／解析部１８、Ｗｅｂサーバ１９及び両面印刷判定部２０等を備えており、主要各部は、バス２１に接続されている。
【００２１】
ＲＯＭ１５は、インターネットファクシミリ装置１としての基本プログラム及び画像方向制御処理プログラム等の各種プログラムを格納しているとともに、これらの各種プログラムを実行するのに必要な各種データを格納しており、ＲＡＭ１６は、主制御部２のワークメモリとして利用される。
【００２２】
主制御部２は、ＲＯＭ１５内のプログラムに基づいてＲＡＭ１６をワークメモリとして利用しつつインターネットファクシミリ装置１の各部を制御し、インターネットファクシミリ装置１としての基本処理を実行するとともに、後述する画像方向制御処理を実行する。
【００２３】
操作制御部３には、図示しない操作部が接続されており、操作部は、テンキー、スタートキー、ファンクションキー、ワンタッチダイヤルキー及び短縮ダイヤルキー等のインターネットファクシミリ装置１の操作に必要な各種操作キーが設けられている。操作制御部３は、操作部の各部の動作制御を行うとともに、主制御部２との間で各種データの交換を行う。特に、操作部は、スキャナで原稿の画像を読み取る際に、当該原稿の方向を指定するのに使用され、画像方向指定手段として機能する。
【００２４】
表示制御部４には、図示しない表示部、例えば、液晶ディスプレイ等が接続されており、主制御部２とデータ交換を行って、表示部に、操作部の操作キーから入力された命令内容やインターネットファクシミリ装置１からオペレータに通知する各種情報を表示させる。
【００２５】
通信制御部５は、公衆網やＬＡＮを介して接続された相手先ファクシミリ装置との間でファクシミリ制御信号の交換を行うとともに、データ変換を行って、ファクシミリ通信手順を実行する通信制御及び網制御を行う。
【００２６】
圧縮伸長制御部６は、画像データの図示しない画像メモリへの蓄積の効率化及び伝送時間の短縮化を図るためのものであり、所定の符号化方式、特に、本ファクシミリ装置１がネットワークファクシミリ装置であるため、ＭＨ（Modified Huffman）符号化方式で画像データを符号化し、また、符号化された画像データを復号化する。
【００２７】
プロッタ制御部７には、図示しないプロッタ（記録手段）が接続されており、プロッタとしては、例えば、電子写真方式等の記録装置が使用されている。プロッタ制御部７は、画像メモリ等から転送されてくる画像データ（書込データ）に基づいてプロッタを制御し、プロッタにより画像データに対応した画像を記録紙に記録出力させる。このプロッタは、両面記録機能を備えており、記録紙の表面と裏面に画像を記録出力する。
【００２８】
スキャナ制御部８には、図示しないスキャナ（読取手段）が接続されており、スキャナは、例えば、ＣＣＤ（Charge Coupled Device）を利用したイメージスキャナが利用されて、スキャナ制御部８の制御下で動作して、原稿を走査して原稿の画像を所定の解像度で読み取る。スキャナ制御部８は、主制御部２からの制御信号に応じて、スキャナの動作を制御して、スキャナに原稿の画像を読み取らせ、スキャナの読み取った原稿の画像を図示しない画像メモリに転送する。
【００２９】
宛先管理部９は、ファクシミリ通信の各宛先毎に、宛先ＩＤ、ユーザ名、等の宛先情報からなる宛先管理テーブルを作成し、当該宛先管理テーブルに基づいて、主制御部２の制御下で、宛先管理を行う。
【００３０】
ジョブ制御部１０は、ユーザによる文書の登録、電子メール等のファイルの配信、ファクシミリ送信等の処理機能により何らかのジョブが発生した際に、主制御部２にジョブの要求を発生し、このジョブ発生要求に応じて主制御部２が制御の発生を要求すると、当該ジョブ発生要求を受け入れる。
【００３１】
通信ファイル管理部１１は、送信用及び受信用の画情報ファイルを生成したり、消去したり等の各種ファイルの管理を行う。
【００３２】
レポート制御部１２は、主制御部２の制御下で、通信レポート等の各種レポートを管理し、必要に応じて、レポートをプロッタ制御部７を介してプロッタで用紙に記録出力させる。
【００３３】
ページメモリ管理部１３には、ページメモリが接続されており、ページメモリ管理部１３は、ページメモリに、プロッタで記録出力される画像データを一旦展開し、また、受信した画像データやコピーモードでスキャナで読み取られた画像データをページメモリに展開して、展開した画像データをプロッタに転送する。
【００３４】
内部スイッチ１４は、インターネットファクシミリ装置１の各種動作状態をセットするためのスイッチである。
【００３５】
ネットワーク制御部１７は、所定のネットワーク、例えば、ＬＡＮ（Local Area Network）等のケーブルが接続されており、ネットワークには、パーソナルコンピュータ等の情報処理装置等が接続されている。ネットワーク制御部１７は、ネットワークを介して情報処理装置等から送信されてきた圧縮された画像データをインターネットファクシミリ装置１で処理可能な画像データに変換し、また、画像メモリ内の画像データを当該情報処理装置等に転送する際に、当該画像データを当該情報処理装置等で処理可能な画像データに変換して、当該情報処理装置等に送信する。
【００３６】
ＴＩＦＦ作成／解析部（ＴＩＦＦ作成手段）１８は、ＭＨ画像に対するＴＩＦＦ（Tag Image File Format）ファイルの作成を行い、また、ＴＩＦＦファイルの解析を行う。
【００３７】
Ｗｅｂサーバ１９は、ユーザ登録されたユーザからアクセスがあると、当該ユーザのユーザ登録情報に基づいて、サムネイル画像を作成し、当該ユーザのクライアントコンピュータへ転送して、当該クライアントコンピュータのウェブブラウザ上に表示させる。
【００３８】
両面印刷判定部２０は、受信画像をプロッタで両面印刷を行うか否か、また、両面印刷可能な画像サイズの組み合わせの両面印刷組み合わせサイズテーブルを備えて、両面印刷を行う場合に、当該両面記録する画像が両面印刷可能な組み合わせであるかを当該両面印刷組み合わせサイズテーブルに基づいて判断する。
【００３９】
次に、本実施例の作用を説明する。本実施例のインターネットファクシミリ装置１は、メール送信でのＴＩＦＦファイルの作成に際して、タグに画像方向を付加して、受信側で画像方向が分かるようにし、受信側で、画像方向を調整して、両面印刷等を適切に行う。
【００４０】
なお、以下の説明では、送信側と受信側の双方が上記インターネットファクシミリ装置１であるものとして説明する。
【００４１】
まず、送信側のインターネットファクシミリ装置１の動作について説明する。送信側のインターネットファクシミリ装置１は、操作部のメニューに、例えば、Ａ４縦の原稿またはＡ４横の原稿に対して画像が、左右上下どちらの方向に向いているかを選択させる向き指定ボタン（画像方向指定手段）が設けられており、オペレータは、ジョブをスタートさせる前に、向き指定ボタンで、原稿の向きを選択することができる。
【００４２】
また、オペレータは、スキャナのコンタクトガラスに原稿をセットした場合には、操作部の向き指定ボタンで、ページ毎に原稿の向きを指定することもでき、また、スキャナのＡＤＦに原稿をセットしてＡＤＦから原稿をスキャナの読取部に搬送させて読み取る場合には、ＡＤＦから搬送する原稿のページ毎に操作部の向き指定ボタンで原稿の向きを指定することができるが、設定が可能なタイミングは、給紙と操作のタイミングによる。さらに、インターネットファクシミリ装置１が、スキャナの読み取った原稿の画像に対するＯＣＲ（Optical Character Reader：光学式文字読取装置）機能を搭載しているときには、当該ＯＣＲ機能を利用して原稿の上下左右を自動判別して、向きを指定してもよい。
【００４３】
次に、インターネットファクシミリ装置１は、スキャナで読み取った原稿の画像データを圧縮伸長制御部６でＭＨ圧縮する。
【００４４】
このとき、主制御部２の制御下で、上記向き指定された左右上下の情報から、「下」あるいは「左」を１８０度回転して、「上」あるいは「右」を１８０度回転して、整理して圧縮してもよい。
【００４５】
次に、インターネットファクシミリ装置１は、ＭＨ画像に対するＴＩＦＦファイルをＴＩＦＦ作成／解析部１８で作成するが、上記向き指定に応じて、以下のように、画像角（画像の方向）を示すタグを付与する。
【００４６】
タグＮｏ      タグ名称
２７４      Orientation
インターネットファクシミリ装置１は、上述のようにして画像角を示すタグを付加したＴＩＦＦファイルを作成すると、通常のメール送信で、当該ＴＩＦＦファイルを指定の宛先に送信する。
【００４７】
そして、受信側のインターネットファクシミリ装置１は、ＴＩＦＦファイルを受信すると、主制御部２の制御下で、ＴＩＦＦ作成／解析部１８で、受信したＴＩＦＦファイルの解析を行い、以下に示すタグが存在するかどうかチェックする。
【００４８】
タグＮｏ      タグ名称
２７４      Orientation
タグが存在すると、回転角を元に、「下」あるいは「左」を１８０度回転して、「上」あるいは「右」を１８０度回転して、整理した後、圧縮伸長制御部６で、伸長し、伸長した画像をプロッタ制御部７の制御下で、プロッタにより記録紙に記録出力する。このようにして記録出力された画像は、ページ毎にきれいに並ぶ。
【００４９】
また、両面印刷を行う場合、１ページ目と２ページ目が同じサイズで、画像方向も同じであれば、プロッタの設定、綴じ方向、上下綴じ、あるいは、左右綴じにより画像を回転調整し、両面印刷を行う。例えば、１ページ目：Ａ４幅、２９７ｍｍ長、ポートレイト画像（画像方向：上あるいは下）、２ページ目：Ａ３幅、２１０ｍｍ長、ポートレイト画像（画像方向：右あるいは左）の場合は両面印刷する。
【００５０】
そして、両面印刷を行う場合、表面の画像と裏面の画像の向きが異なると、両面印刷を行わずに、表面の画像と裏面の画像を、それぞれ片面印刷する。
【００５１】
そして、インターネットファクシミリ装置１は、受信画像が両面可能な組み合わせであるか否かは、両面印刷判定部２０で、両面印刷組み合わせサイズテーブルに基づいて判定する。
【００５２】
さらに、インターネットファクシミリ装置１は、受信したＴＩＦＦファイルからＷｅｂ用のサムネイル画像を作成する場合には、当該ＴＩＦＦファイルのタグに基づいて、画像方向を判別し、画像を適宜回転させて方向を合わせてサムネイル画像を作成する。このようにすると、クライアントに依存することなく、正しい方向で画像を揃えてサムネイル画像を作成することができ、正しい方向で画像を見ることができて、利用性を向上させることができる。
【００５３】
このように、本実施例のインターネットファクシミリ装置１は、スキャナで読み取った原稿の画像データをＴＩＦＦ作成／解析部１８でＴＩＦＦファイルとして作成して、当該作成したＴＩＦＦファイルを指定の宛先にメール送信するのに、スキャナでの原稿の読み取りを指示操作する際に、当該原稿のページ毎またはファイル毎に、操作部の向き指定ボタンで指定された画像方向を当該ＴＩＦＦファイルのタグに付加している。
【００５４】
したがって、画像方向を確実に決定して、受信側で画像方向が分かるようにすることができ、受信側での画像の利用性を向上させることができる。
【００５５】
また、本実施例のインターネットファクシミリ装置１は、メール受信したＴＩＦＦファイルの画像をプロッタで用紙の両面に順次記録するに際して、受信したＴＩＦＦファイルに画像の方向を示すタグが付与されていると、当該タグの示す画像方向を参照して、両面印刷の上下綴じ代または左右綴じ代を決定して、プロッタで両面印刷している。
【００５６】
したがって、両面印刷において綴じ方向を適切に設定することができ、画像の利用性を向上させることができる。
【００５７】
さらに、本実施例のインターネットファクシミリ装置１は、両面印刷において、ＴＩＦＦファイルに付与されているタグの示す画像の方向が、表面の画像と裏面の画像で異なる場合には、当該表面の画像と裏面の画像を異なる用紙に記録出力している。
【００５８】
したがって、綴じ方向が適切に揃う画像のみを両面印刷することができ、綴じ方向の揃わない画像については片面印刷を行って、両面印刷の適性化を向上させて、画像の利用性を向上させることができる。
【００５９】
また、本実施例のインターネットファクシミリ装置１は、メール受信したＴＩＦＦファイルの画像をウェブページの画像として公開して閲覧サービスを提供するに際して、受信したＴＩＦＦファイルに画像の方向を示すタグが付与されていると、当該タグの示す画像方向を参照して、ウェブページの画像として上下を適切に合わせて公開している。
【００６０】
したがって、クライアントに依存することなく、正しい方向で画像を閲覧できるようにすることができ、画像の利用性を向上させることができる。
【００６１】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６２】
画像の方向を揃えることで利用性の向上するインターネットファクシミリ装置に適用することができる。
【図面の簡単な説明】
【００６３】
【図１】本発明のインターネットファクシミリ装置の一実施例を適用したインターネットファクシミリ装置のブロック構成図。
【符号の説明】
【００６４】
１  インターネットファクシミリ装置
２  主制御部
３  操作制御部
４  表示制御部
５  通信制御部
６  圧縮伸長制御部
７  プロッタ制御部
８  スキャナ制御部
９  宛先管理部
１０  ジョブ制御部
１１  通信ファイル管理部
１２  レポート制御部
１３  ページメモリ管理部
１４  内部スイッチ
１５  ＲＯＭ
１６  ＲＡＭ
１７  ネットワーク制御部
１８  ＴＩＦＦ作成／解析部
１９  Ｗｅｂサーバ
２０  両面印刷判定部
２１  バス
【図１】
2005184091.tif 000003